(57)【要約】【課題】  極めて容易に取扱われかつ必要な場合常に確実に使用可能な蛍光ランプのソケットを提供する。【解決手段】  両端に口金を持ちかつランプ軸線に対して平行なそれぞれ２つの口金ピンを持つ蛍光ランプ用のソケットは、ソフトケース、その中にある接触子、及びソケット本体内に回転可能に支持される回転子を持ち、この回転子がランプ軸線に対して横向きにランプ口金ピンを導入するための案内スリットを持っている。本発明により、ソケットの回転子用の操作部材が、実質的に円盤状に扁平に構成され、かつ回転子の表側に取付けられ、操作部材に設けられるスリットが回転子の案内スリットと一直線をなし、操作部材がランプ軸線の方へ実質的に半径方向に向く操作腕を持ち、この操作腕がソケット本体の周囲から突出している。【選択図】  図４
2005294239.tif 000002
【特許請求の範囲】
【請求項１】
両端に口金を持ちかつランプ軸線に対して平行なそれぞれ２つの口金ピンを持つ蛍光ランプ用のソケット（１０）であって、ソケットケース、その中にある接触子、及びソケット本体内に回転可能に支持される回転子（１９）を持ち、この回転子（１９）がランプ軸線に対して横向きにランプ口金ピンを導入するための案内スリット（２０）を持っているものにおいて、ソケット（１０）の回転子（１９）用の操作部材（１５）が、実質的に円盤状に扁平に構成され、かつ回転子（１９）の表側（２１）に取付けられ、操作部材（１５）に設けられるスリット（１８）が回転子（１９）の案内スリット（２０）と一直線をなし、操作部材（１５）がランプ軸線の方へ実質的に半径方向に向く操作腕（１６）を持ち、この操作腕（１６）がソケット本体（１０）の周囲から突出していることを特徴とする、ソケット。
【請求項２】
操作部材（１５）が、実質的にはまり合い及び／又は係止により回転子（１９）に結合されていることを特徴とする、請求項１に記載のソケット。
【請求項３】
操作部材（１５）が、回転子（１９）に面する裏側（２２）に、回転子（１９）の案内スリット（２０）とは無関係な少なくとも１つの穴（２４）へはまる少なくとも１つの差込み又は係止ほぞ（２４）を持っていることを特徴とする、請求項２に記載のソケット。
【請求項４】
操作部材（１５）が回転子（１９）に接着されるか又は溶接されていることを特徴とする、請求項１〜３の１つに記載のソケット。
【請求項５】
操作部材（１５）が回転子（１９）の表側（２１）に接着されるか又は溶接されていることを特徴とする、請求項４に記載のソケット。
【請求項６】
操作部材（１５）が回転子（１９）のいわゆる検査先端導入開口（２４）と一直線をなす穴（２５）を持っていることを特徴とする、請求項１〜５の１つに記載のソケット。
【請求項７】
操作部材（１５）が回転子（１９）に面する裏側（２２）に凹所（２６）を持ち、この凹所（２６）の輪郭が回転子（１９）の表側（２１）の周囲（２７）に合わされていることを特徴とする、請求項１〜６の１つに記載のソケット
【請求項８】
操作部材（１５）がランプ口金から突出していることを特徴とする、請求項１〜７の１つに記載のソケット。
【発明の詳細な説明】
【技術分野】
【０００１】  本発明は、両端に口金を持ちかつランプ軸線に対して平行なそれぞれ２つの口金ピンを持つ蛍光ランプ用のソケットであって、ソケットケース、その中にある接触子、及びソケット本体内に回転可能に支持される回転子を持ち、この回転子がランプ軸線に対して横向きにランプ口金ピンを導入するための案内スリットを持っているものに関する。【０００２】  照明器具の小形化の過程において、ランプ及びソケットを収容している照明器具ケースも必然的に狭くなり、ランプの挿入及び交換を困難にする。なぜならば、照明器具ケース内のランプを手の指で非常に苦労してつかみ、かつ取扱わねばならないからである。
【背景技術】
【０００３】  ドイツ連邦共和国実用新案第９４０９１４７号から、両端に口金を持つ蛍光ランプを交換するための組込み及び分解補助手段が公知であり、細長い薄板としてランプの接触ピン上へはめることができ、組込まれた状態で外部からランプ口金とランプソケットの間へ外部から手が届くようになっている。薄板はランプ接触ピンを通すための２つの貫通孔を持つか、又は板をランプ接触ピン上へ後ではめることができ、組込まれた状態で外部からランプ口金とランプソケットの間へ外部から手が届くようになっている。薄板はランプ接触ピンを通すための２つの貫通孔を持つか、又は薄板をランプ接触ピン上へ後ではめるための１つ又は複数のスリットを持っている。両方の実施形態において、薄板はランプ口金に回転可能に結合されている。【０００４】  一方の実施形態において、薄板が別個の工具として構成され、必要な場合ランプ接触ピンへ留められる場合、この別個の工具が紛失し易いか、又は照明器具の近くでめんどうに保管されねばならず、それにより、必要な場合使用不可能になることがある。薄板をランプ接触ピンと永続的に結合させることが考えられる場合、注意すべきことは、ランプを取扱うたびに薄板を接触ピンに通し、ランプの交換の場合取外すべきランプから取去らねばならないことである。
【発明の開示】
【発明が解決しようとする課題】
【０００５】  従ってこれから出発して、極めて容易に取扱われかつ必要な場合常に確実に使用可能な、最初にあげた種類のソフトを利用可能にするという課題が、本発明の基礎となっている。
【課題を解決するための手段】
【０００６】    この課題の解決策が請求項１の特徴である。従って本発明は、ソケットの回転子用の操作部材が、実質的に円盤状に扁平に構成され、かつ回転子の表側に取付けられ、操作部材に設けられるスリットが回転子の案内スリットと一直線をなし、操作部材がランプ軸線の方へ実質的に半径方向に向く操作腕を持ち、この操作腕がソケット本体の周囲から突出していることを特徴としている。【０００７】  操作部材は、回転子操作機構の意味で回転子に取付けられているので、必要な場合常に利用可能であり、紛失することがない。操作部材は、一般にランプ口金直径より大きくないソケット本体の周囲から少なくとも突出しているので、簡単な取扱いが保証される。そうでなければ、操作部材の突出部は、当然ランプ口金の周囲から突出するようにも構成可能である。【０００８】  本発明は更に別の利点を持っている。即ち回転子に取付けられる操作部材は、手により及ぼされる操作力を直接回転子へ伝達し、回転子はランプ接触ピンを回転方向に連行する。従ってランプ接触ピンは回転子の作用をやさしく受け、力を導入する工具を介して作用を受けない。本発明の別の利点は、操作部材が非常に簡単で小さい部材であり、例えばプラスチックから成る射出成形部品として、費用の少ない射出成形工具で製造可能なことである。更に本発明は、市販の回転子ソケットに、後になって、即ちその基本的な製造の終了後、この操作部材を設けることができるという利点を持っている。従って本発明によるソケットは、製造過程において特別な製造段階を必要としない。それにより、現在必要な標準ソケットに操作部材を設けさえすればよいソケット製造者において、計画が簡単になる。【０００９】  本発明の構造的構成において、操作部材が、実質的にはまり合い及び／又は係止により回転子に結合され、例えばそれに固定的に締付けられるか又は係止されることができる。【００１０】  好ましい実施例によれば、操作部材が、回転子に面する裏側に、回転子の少なくとも１つの穴へはまる少なくとも１つの差込み又は係止ほぞを持っている。この構成は特に回転子ソケットにとって有利であり、このソケットの回転子は、裏側に、検査先端の導入を可能にするいわゆる検査先端導入開口を持ち、検査先端は、この開口の後にある照明器具の機能検査用ソケット接触子に作用する。これに関して本発明は、操作部材をほぞにより取付けるため回転子に存在するこのような開口を利用する。【００１１】  操作部材は、回転子の検査先端導入開口と一直線をなす穴をなし従ってソケット検査の機能を更に保証する穴を持つことができる。【００１２】  別の実施例によれば、凹所の輪郭が回転子の表側の周囲に合わされている。【００１３】  更に図面に示されている実施例により、本発明が以下の説明において更に明らかにされる。
【発明を実施するための最良の形態】
【００１４】  全体に符号１０を付けたソケットは、互いに対向する配置でソケット対として、両端に口金をもつ図示しない蛍光ランプの保持及び電気的接続に用いられる。【００１５】  図１は、照明器具１１にあるこのようなソケット１０の古典的な取付け状態を示している。この照明器具１１のうち、照明器具ケース１２及びその中に設けられる反射鏡１３が示されている。重要なことは、ソケット１０の横及びこれにより保持されるランプの横における空間状態により、ランプの挿入又は交換の際手を入れることができないか又は場合によっては極めて複雑に形成される非常に狭い間隙１４しか残らないことである。【００１６】  従って本発明によれば、ソケット１０の回転子１９を回す操作部材１５が設けられて、ソケット１０から突出する操作腕１６を持ち、この操作腕が外部から手で容易につかまれる。この操作部材１５の形態及び配置は、更に説明する図から最もよくわかる。【００１７】  操作部材１５は、図２〜５によれば、板状の薄い本体１７を持ち、この本体１７は１８で示すように一端が縁の所で開くスリットを含んでいる。【００１８】  ソケット１０及び回転可能にその中に収容される回転子１９にも同様に案内スリット２０があり、公知のように管状蛍光ランプの口金接触片の導入に役立つ。通常のようにランプを挿入し、続いてその縦軸線の周りに９０°回転した後、口金接触ピンは、ソケット１０にある接触子と接触する機能位置へもたらされる。同時にランプはその口金接触ピンを案内スリット２０に対して横向きにされるので、ランプがソケット１０から脱落することがない。【００１９】  本発明によれば、操作部材１５は、例えば回転子１９の表面２１に接着されるか又は特に超音波溶接により回転子１９に結合されることによって、回転子１９に固定的に結合される。【００２０】  その代わりに又はそれに加えて操作部材１５は、その後面又は裏側２２（図５）に、差込み又は差込み係止ほぞ２３を備えることができる。これらのほぞ２３はいわゆる検査先端導入開口２４へはめるのに役立ち、これらの検査先端導入開口２４を通して、機能検査装置の検査先端を、その後にあるソケット接触子の所へ導入することができる。【００２１】  操作部材１５を設けた後にも、ソケット１０がこの検査可能性を維持するようにする場合、操作部材１５が、図１に示すように、本体１７に穴２５を設けられる。【００２２】  図５は操作部材１５の裏側２２にある凹所２６を示し、この凹所２６の輪郭は回転子１９の周囲２７に対して相補的な形状を持ち、従って操作部材と回転子との結合の際特別なはまり合いを生じ、更にこれらの部分の正しい対応の容易な結合のための心出し手段となる。【００２３】  最後に指摘すべきことは、ランプに付属する両方のソケットの１つだけが本発明により構成されていると、所望の目的を達するに充分なことである。
【図面の簡単な説明】
【００２４】
【図１】  本発明によるソケットの内側を見た照明器具ケースの概略断面図を示す。
【図２】  類似なソケット正面図を示す。
【図３】  図２によるソケットの斜視図を示す。
【図４】  図３と同じ方向に見た図２及び３によるソケットの分解図を示す。
【図５】  操作部材の裏側及び回転子の表側の分解斜視図を示す。
【符号の説明】
【００２５】  １０          ソケット
１５          操作部材
１６          操作腕
１８          スリット
１９          回転子
２０          案内スリット
２１          表側
【図１】
2005294239.tif 000003
【図２】
2005294239.tif 000004
【図３】
2005294239.tif 000005
【図４】
2005294239.tif 000006
【図５】
2005294239.tif 000007